(57)【要約】  データチャネルがスケジューリングされた時間／周波数リソース内にＵｎｋｎｏｗｎリソースが含まれる場合であっても、当該データチャネルの送信及び／又は受信を適切に制御すること。本発明のユーザ端末は、当該ユーザ端末が送信及び／又は受信を想定してはならないＵｎｋｎｏｗｎリソースを示す第１の下りリンク制御情報（ＤＣＩ）を受信する受信部と、第２の下りリンク制御情報（ＤＣＩ）によってデータチャネルがスケジューリングされた時間及び／周波数リソースの少なくとも一部が前記Ｕｎｋｎｏｗｎリソースと衝突する場合、前記時間及び／又は周波数リソースにおける前記データチャネルの受信及び／又は送信を制御する制御部と、を具備する。
2019030870.tif 000002
【特許請求の範囲】
【請求項１】
ユーザ端末が送信及び／又は受信を想定してはならない第１の時間及び／又は周波数リソースを示す第１の下りリンク制御情報（ＤＣＩ）を受信する送受信部と、
第２の下りリンク制御情報（ＤＣＩ）によってデータチャネルがスケジューリングされた第２の時間及び／周波数リソースの少なくとも一部が前記第１の時間及び／又は周波数リソースと衝突する場合、前記第２の時間及び／又は周波数リソースにおける前記データチャネルの受信及び／又は送信を制御する制御部と、
を具備することを特徴とするユーザ端末。
【請求項２】
前記送受信部は、前記第１のＤＣＩ及び前記第２のＤＣＩが同一のスロット内で検出される場合、及び／又は、前記第２のＤＣＩが前記第１のＤＣＩよりも前のスロットで検出される場合、前記第２の時間及び／又は周波数リソース内で前記第１の時間及び／又は周波数リソースと衝突する時間及び／又は周波数リソースにおいて、前記第２のＤＣＩに基づく前記データチャネルの受信及び／又は受信を行わないことを特徴とする請求項１に記載のユーザ端末。
【請求項３】
前記送受信部は、前記第２のＤＣＩが前記第１のＤＣＩよりも後のスロットで検出される場合、前記第２の時間及び／又は周波数リソース内で前記第１の時間及び／又は周波数リソースと衝突する時間及び／又は周波数リソースにおいて、前記第２のＤＣＩに基づく前記ＤＬデータチャネルの受信及び／又は前記ＵＬデータチャネルの送信を行うことを特徴とする請求項１又は請求項２に記載のユーザ端末。
【請求項４】
前記送受信部は、前記第２のＤＣＩが前記第１のＤＣＩよりも後のスロットで検出される場合、前記第２の時間及び／又は周波数リソース内で前記第１の時間及び／又は周波数リソースと衝突する時間及び／又は周波数リソースにおいて、前記第２のＤＣＩに基づく前記データチャネルの受信及び／又は送信を行わないことを特徴とする請求項１又は請求項２に記載のユーザ端末。
【請求項５】
前記送受信部は、前記第２の時間及び／又は周波数リソース内で前記第１の時間及び／又は周波数リソースと衝突しない時間及び／又は周波数リソースにおいて、前記第２のＤＣＩに基づく前記データチャネルの受信及び／又は送信を行うことを特徴とする請求項１から請求項４のいずれかに記載のユーザ端末。
【請求項６】
ユーザ端末において、
前記ユーザ端末が送信及び／又は受信を想定してはならない第１の時間及び／又は周波数リソースを示す第１の下りリンク制御情報（ＤＣＩ）を受信する工程と、
第２の下りリンク制御情報（ＤＣＩ）によってデータチャネルがスケジューリングされた第２の時間及び／周波数リソースの少なくとも一部が前記第１の時間及び／又は周波数リソースと衝突する場合、前記第２の時間及び／又は周波数リソースにおける前記データチャネルの受信及び／又は送信を制御する工程と、
を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
また、既存のＬＴＥシステム（例えば、ＬＴＥ  Ｒｅｌ．８−１３）では、データチャネル（ＤＬデータチャネル（例えば、ＰＤＳＣＨ：Physical  Downlink  Shared  Channel）及び／又はＵＬデータチャネル（例えば、ＰＵＳＣＨ：Physical  Uplink  Shared  Channel）を含む、単に、データ又は共有チャネル等ともいう）スケジューリングの時間単位として、１ｍｓのサブフレームが用いられる。当該サブフレームは、伝送時間間隔（ＴＴＩ：Transmission  Time  Interval）等とも呼ばれる。【０００４】
また、既存のＬＴＥシステムでは、時間分割複信（ＴＤＤ：Time  Division  Duplex）及び／又は周波数分割複信（ＦＤＤ：Frequency  Division  Duplex）がサポートされる。ＴＤＤでは、無線フレーム内の各サブフレームの伝送方向（下りリンク（ＤＬ：Downlink）及び／又は上りリンク（ＵＬ：Uplink））を定めたＵＬ／ＤＬ構成（UL/DL  configuration）に基づいて、各サブフレームの伝送方向が準静的に制御される。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）では、データチャネルがスケジューリングされる時間単位（例えば、一以上のスロット、一以上のミニスロット及び一以上のシンボル）内において、ユーザ端末が何も（anything）（例えば、送信及び／又は受信に関する制御及び／又は動作を）想定してはならない所定の時間及び／又は周波数リソース（時間／周波数リソース）を指定（indicate）可能とすることが検討されている。【０００７】
当該所定の時間／周波数リソースは、例えば、将来的な拡張性（フォワードコンパチビリティ（forward  compatibility））のために設けられてもよい。当該所定の時間／周波数リソースは、ｕｎｋｎｏｗｎリソース、確保（reserved）リソース、ブランクリソース又は未使用（unused）リソース等とも呼ばれる。【０００８】
しかしながら、データチャネルがスケジューリングされる時間単位内にＵｎｋｎｏｗｎリソースが含まれる場合、当該データチャネルの送信及び／又は受信を適切に制御できない恐れがある。【０００９】
本発明はかかる点に鑑みてなされたものであり、データチャネルがスケジューリングされる時間単位内にＵｎｋｎｏｗｎリソースが含まれる場合であっても、当該データチャネルの送信及び／又は受信を適切に制御可能なユーザ端末及び無線通信方法を提供することを目的の一とする。
【課題を解決するための手段】
【００１０】
本発明のユーザ端末の一態様は、ユーザ端末が送信及び／又は受信を想定してはならない第１の時間及び／又は周波数リソースを示す第１の下りリンク制御情報（ＤＣＩ）を受信する送受信部と、第２の下りリンク制御情報（ＤＣＩ）によってデータチャネルがスケジューリングされた第２の時間及び／周波数リソースの少なくとも一部が前記第１の時間及び／又は周波数リソースと衝突する場合、前記第２の時間及び／又は周波数リソースにおける前記データチャネルの受信及び／又は送信を制御する制御部と、を具備することを特徴とする。
【発明の効果】
【００１１】
本発明によれば、データチャネルがスケジューリングされた時間／周波数リソース内にＵｎｋｎｏｗｎリソースが含まれる場合であっても、当該データチャネルの送信及び／又は受信を適切に制御できる。
【図面の簡単な説明】
【００１２】
【図１】図１Ａ及び１Ｂは、第１の態様に係るスケジューリングによる衝突制御の一例を示す図である。
【図２】図２Ａ及び２Ｂは、第１の態様に係るＵｎｋｎｏｗｎリソースの優先制御の一例を示す図である。
【図３】図３Ａ及び３Ｂは、第２の態様に係る最新の指示情報に基づく優先制御の一例を示す図である。
【図４】図４Ａ及び４Ｂは、第２の態様に係る最新の指示情報に基づく優先制御の一例を示す図である。
【図５】図５Ａ及び５Ｂは、第２の態様に係るＵｎｋｎｏｗｎリソースの優先制御の一例を示す図である。
【図６】図６Ａ及び６Ｂは、第２の態様に係るＵｎｋｎｏｗｎリソースの優先制御の一例を示す図である。
【図７】本実施の形態に係る無線通信システムの概略構成の一例を示す図である。
【図８】本実施の形態に係る無線基地局の全体構成の一例を示す図である。
【図９】本実施の形態に係る無線基地局の機能構成の一例を示す図である。
【図１０】本実施の形態に係るユーザ端末の全体構成の一例を示す図である。
【図１１】本実施の形態に係るユーザ端末の機能構成の一例を示す図である。
【図１２】本実施の形態に係る無線基地局及びユーザ端末のハードウェア構成の一例を示す図である。
【発明を実施するための形態】
【００１３】
将来の無線通信システム（例えば、ＮＲ）では、データチャネルのスケジューリング単位となる時間単位（例えば、一以上のスロット、一以上のミニスロット及び一以上のシンボルの少なくとも一つ）内において、ユーザ端末が何も（anything）（例えば、送信及び／又は受信に関する制御及び／又は動作を）想定してはならない所定の時間及び／又は周波数リソース（時間／周波数リソース）を指定（indicate）可能とすることが検討されている。
【００１４】
当該所定の時間／周波数リソースは、例えば、将来的な拡張性（フォワードコンパチビリティ（forward  compatibility））のために設けられる。当該所定の時間／周波数リソースは、ｕｎｋｎｏｗｎリソース、確保（reserved）リソース、ブランクリソース、未使用（unused）リソース又は第１の時間／周波数リソース等とも呼ばれる。
【００１５】
Ｕｎｋｎｏｗｎリソースとして確保（設定）される時間リソースは、例えば、一以上のシンボル、一以上のスロット、一以上のミニシンボルの少なくとも一つであればよい。また、ＵｎＫｎｏｗｎリソースとして確保される周波数リソースは、ユーザ端末に設定される周波数帯域（例えば、キャリア（コンポーネントキャリア（ＣＣ：Component  Carrier）又はシステム帯域等ともいう）、又は、当該キャリアの少なくとも一部に設定される帯域幅部分（ＢＷＰ：Bandwidth  Part）の少なくとも一部である。例えば、当該周波数リソースは、キャリア（又はＢＷＰ）の全体であってもよいし、当該キャリア（又はＢＷＰ）を構成するＰＲＢのサブセットであってもよい。
【００１６】
以上のようなＵｎｋｎｏｗｎリソースは、データチャネルがスケジューリングされる時間単位（例えば、一以上のスロット、一以上のミニスロット及び一以上のシンボルの少なくとも一つ）のフォーマットに関する情報（フォーマット関連情報、以下、スロットフォーマット関連情報（ＳＦＩ：Slot  Format  related  Information）等ともいう）によって示されてもよい。
【００１７】
ＳＦＩは、上記時間単位のフォーマットとして、Ｕｎｋｎｏｗｎリソースとして確保される上記時間／周波数リソース、上記時間単位内のシンボル数、上記時間単位内のＤＬ用のシンボル（ＤＬシンボル）及び／又はＵＬ用のシンボル（ＵＬシンボル）の少なくとも一つを示してもよい。ＳＦＩによって示されるフォーマットの一以上の候補は、予め仕様で定められてもよいし、上位レイヤシグナリングにより設定されてもよい。
【００１８】
当該ＳＦＩは、一以上のユーザ端末を含むグループに共通の下りリンク制御情報（ＤＣＩ：Downlink  Control  Information）（グループ共通ＤＣＩ又は第１のＤＣＩ等ともいう）に含まれてもよい。或いは、ＳＦＩは、物理レイヤシグナリングで通知される他の制御情報に含まれてもよいし、又は、上位レイヤシグナリングで通知される制御情報に含まれてもよい。
【００１９】
一方、ユーザ端末に対するデータチャネル（例えば、ＰＤＳＣＨ及び／又はＰＵＳＣＨ）は、当該ユーザ端末固有のＤＣＩ（ＵＥ固有ＤＣＩ又は第２のＤＣＩ等ともいう、例えば、ＤＬアサインメント及び／又はＵＬグラント）によりスケジューリングされる。当該ＵＥ固有ＤＣＩは、上記時間単位内でデータチャネルがスケジューリングされたシンボルを指定してもよい。
【００２０】
ユーザ端末には、当該ユーザ端末に設定される周波数帯域（例えば、キャリア、コンポーネントキャリア（ＣＣ：Component  Carrier）、システム帯域、又は、当該キャリア内の帯域部分（ＢＷＰ：Bandwidth  Part））内に、ＤＬ制御チャネル（例えば、ＰＤＣＣＨ：Physical  Downlink  Control  Channel）が割り当てられる一以上の候補領域が設定される。当該候補領域は、制御リソースセット（ＣＯＲＥＳＥＴ：control  resource  set）、コントロールサブバンド（control  subband）、サーチスペースセット、サーチスペースリソースセット、制御領域、制御サブバンド又はＮＲ−ＰＤＣＣＨ領域等とも呼ばれる）等とも呼ばれる。
【００２１】
ユーザ端末は、少なくとも一つのＣＯＲＥＳＥＴ内の一以上のサーチスペース（例えば、共通サーチスペース（ＣＳＳ：Common  Search  Space）及び／又はユーザ端末固有サーチスペース（ＵＳＳ：UE-specific  Search  Space））を監視（ブラインド復号）して、上記ＳＦＩを含むＤＣＩ及びＵＥ固有のＤＣＩを検出する。
【００２２】
しかしながら、データチャネルがスケジューリングされる時間単位（例えば、一以上のスロット、一以上のミニスロット及び一以上のシンボルの少なくとも一つ）内にＳＦＩによって指定されるＵｎｋｎｏｗｎリソースが含まれる場合、ユーザ端末が、当該時間単位における当該データチャネルの送信及び／又は受信を適切に制御できない恐れがある。
【００２３】
そこで、本発明者らは、上記時間単位内でのＵｎｋｎｏｗｎリソース（第１の時間／周波数リソース）とデータチャネル用の時間／周波数リソース（第２の時間／周波数リソース）とが衝突しないようにスケジューリングを行うことを着想した。又は、本発明者らは、上記時間単位内でのＵｎｋｎｏｗｎリソース（第１の時間／周波数リソース）とデータチャネル用の時間／周波数リソース（第２の時間／周波数リソース）との衝突を許容しながら、データチャネルの送信及び／又は受信を適切に制御可能とすることを着想した（ｕｎｋｎｏｗｎリソースの優先（override）制御又は最新の（latest）指示情報に基づく優先制御）。
【００２４】
以下、本発明の一実施の形態について図面を参照して詳細に説明する。以下では、ＤＬデータチャネル、ＵＬデータチャネルとして、ＰＤＳＣＨ、ＰＵＳＣＨを例示するが、これに限られない。
【００２５】
（第１の態様）
第１の態様では、Ｕｎｋｎｏｗｎリソースを示すＳＦＩ（当該ＳＦＩを含むＤＣＩ）と、ＰＤＳＣＨのスケジューリングに用いられるＤＣＩ（ＤＬアサインメント）及び／又はＰＵＳＣＨのスケジューリングに用いられるＤＣＩ（ＵＬグラント）とが、同一のスロット内で検出される場合について説明する。
【００２６】
＜スケジューリングによる衝突制御＞
ユーザ端末は、ＳＦＩを含むＤＣＩとＤＬアサインメント及び／又はＵＬグラント（ＤＬアサインメント／ＵＬグラント）とが同一のスロット内で検出される場合、ＳＦＩによって示されるＵｎｋｎｏｗｎリソースには、ＰＤＳＣＨ及び／又はＰＵＳＣＨ（ＰＤＳＣＨ／ＰＵＳＣＨ）がスケジューリングされないことを想定してもよい。
【００２７】
無線基地局（例えば、ｇＮＢ：gNodeB）は、Ｕｎｋｎｏｗｎリソースとして確保される時間／周波数リソース（例えば、シンボル）に、ＰＤＳＣＨ／ＰＵＳＣＨをスケジューリングしない。このような無線基地局のスケジューリングにより、ＰＤＳＣＨ／ＰＵＳＣＨがスケジューリングされるシンボルと、ＳＦＩによって示されるＵｎｋｎｏｗｎリソースとの衝突を回避できる。
【００２８】
図１は、第１の態様に係るスケジューリングによる衝突制御の一例を示す図である。なお、図１Ａ及び１Ｂでは、１スロットが１４シンボルで構成されるものとするが、スロット内のシンボル数、スロット内のＤＬシンボル、ＵＬシンボル及びＧＰシンボルの位置及び／又は数は図示するものに限られない。
【００２９】
例えば、図１Ａ及び１Ｂにおいて、ユーザ端末は、ＣＯＲＥＳＥＴ内のサーチスペース（例えば、共通サーチスペース）を監視して、ＳＦＩを含むＤＣＩを検出してもよい。また、ユーザ端末は、ＣＯＲＥＳＥＴ内のサーチスペース（例えば、ＵＥ固有サーチスペース）を監視して、ＤＬアサインメント／ＵＬグラントを、ＳＦＩを含むＤＣＩと同一のスロットで、検出してもよい。
【００３０】
図１Ａ及び１Ｂでは、無線基地局は、Ｕｎｋｎｏｗｎリソースとしてシンボル＃６〜＃８が確保されることを示すＳＦＩを送信する。また、図１Ａでは、無線基地局は、Ｕｎｋｎｏｗｎリソース以外のシンボル＃１〜＃５及び＃９〜１３にＰＤＳＣＨをスケジューリングして、ＤＬアサインメントを送信する。同様に、図１Ｂでは、無線基地局は、シンボル＃２〜＃５及び＃９〜１３にＰＵＳＣＨをスケジューリングして、ＵＬグラントを送信する。なお、図１におけるＵｎｋｎｏｗｎリソースの位置及び／又は数は例示にすぎず、これに限られない。
【００３１】
図１Ａでは、ユーザ端末は、検出されたＤＬアサインメント内のスケジューリング情報（例えば、シンボル＃１〜＃５及び＃９〜＃１３によるＰＤＳＣＨの割り当て情報）に基づいて、ＰＤＳＣＨを受信する。図１Ｂでは、ユーザ端末は、検出されたＵＬグラント内のスケジューリング情報（例えば、シンボル＃２〜＃５及び＃９〜＃１３によるＰＵＳＣＨの割り当て情報）に基づいて、ＰＵＳＣＨを受信する。
【００３２】
以上のように、スケジューリングによる衝突制御では、無線基地局は、Ｕｎｋｎｏｗｎリソースとして確保される時間／周波数リソースに、ＰＤＳＣＨ／ＰＵＳＣＨをスケジューリングしない。このため、ユーザ端末がＳＦＩとＤＬアサインメント／ＵＬグラントとが同一のスロット内で検出する場合でも、無線基地局側の制御により、ＰＤＳＣＨの受信及び／又はＰＵＳＣＨの送信を適切に制御できる。
【００３３】
＜Ｕｎｋｎｏｗｎリソースの優先（override）制御＞
或いは、無線基地局は、Ｕｎｋｎｏｗｎリソースとして確保される時間／周波数リソースであるかに関係なく、ＰＤＳＣＨ／ＰＵＳＣＨをスケジューリングしてもよい。この場合、ユーザ端末は、ＳＦＩによって示されるＵｎｋｎｏｗｎリソースでは、ＤＬアサインメントに基づくＰＤＳＣＨの受信及び／又はＵＬグラントに基づくＰＵＳＣＨの送信をしてはならない。
【００３４】
すなわち、ユーザ端末は、ＤＬアサインメント／ＵＬグラントによりＰＤＳＣＨ／ＰＵＳＣＨがスケジューリングされた時間／周波数リソースであっても、ＳＦＩによってＵｎｋｎｏｗｎリソースとして指定される場合、当該ＵｎｋｎｏｗｎリソースにおけるＰＤＳＣＨの受信及び／又はＰＵＳＣＨの送信を行わない。
【００３５】
図２は、第１の態様に係るＵｎｋｎｏｗｎリソースの優先制御の一例を示す図である。なお、図２Ａ及び２Ｂでは、図１Ａ及び１Ｂとの相違点を中心に説明する。図２Ａ及び２Ｂでは、ＰＤＳＣＨ／ＰＵＳＣＨがスケジューリングされた時間／周波数リソースの少なくとも一部がＵｎｋｎｏｗｎリソースと衝突する点で、図１Ａ及び１Ｂと異なる。
【００３６】
例えば、図２Ａでは、無線基地局は、Ｕｎｋｎｏｗｎリソースを含むシンボル＃１〜＃１３にＰＤＳＣＨをスケジューリングして、ＤＬアサインメントを送信する。同様に、図２Ｂでは、無線基地局は、シンボル＃２〜１３にＰＵＳＣＨをスケジューリングして、ＵＬグラントを送信する。
【００３７】
図２Ａでは、ユーザ端末は、Ｕｎｋｎｏｗｎリソースとして確保される時間／周波数リソース（例えば、シンボル＃６〜＃８）では、ＤＬアサインメント内のスケジューリング情報（例えば、シンボル＃１〜＃１３に対するＰＤＳＣＨの割り当て情報）に基づいてＰＤＳＣＨを受信してはならない。ユーザ端末は、Ｕｎｋｎｏｗｎリソース以外の時間／周波数リソース（例えば、シンボル＃１〜＃５、＃９〜＃１３）では、当該スケジューリング情報に基づいてＰＤＳＣＨを受信してもよい。
【００３８】
同様に、図２Ｂでは、ユーザ端末は、Ｕｎｋｎｏｗｎリソースとして確保される時間／周波数リソース（例えば、シンボル＃６〜＃８）では、ＵＬグラント内のスケジューリング情報（例えば、シンボル＃２〜＃１３に対するＰＵＳＣＨの割り当て情報）に基づくＰＵＳＣＨを送信してはならない。ユーザ端末は、Ｕｎｋｎｏｗｎリソース以外の時間／周波数リソース（例えば、シンボル＃２〜＃５、＃９〜＃１３）では、当該スケジューリング情報に基づいてＰＵＳＣＨを送信してもよい。
【００３９】
なお、Ｕｎｋｎｏｗｎリソースとして確保される時間／周波数リソース（例えば、シンボル＃６〜＃８）に参照信号（例えば、ＰＤＳＣＨ／ＰＵＳＣＨの復調用の参照信号（ＤＭＲＳ：Demodulation  Reference  Signal）、及び／又は、チャネル状態情報（ＣＳＩ：Channel  State  Information）の測定用の参照信号（ＣＳＩ−ＲＳ））が割り当てられる場合、ユーザ端末は、当該参照信号を用いたチャネル推定及び／又は測定を行わなくともよい。
【００４０】
Ｕｎｋｎｏｗｎリソースとして確保される時間／周波数リソースについて、ＰＤＳＣＨ／ＰＵＳＣＨは、パンクチャされてもよいし、又は、レートマッチングされてもよい。
【００４１】
≪パンクチャの場合≫
ユーザ端末は、ＰＤＳＣＨ／ＰＵＳＣＨがスケジューリングされた時間／周波数リソース内のＵｎｋｎｏｗｎリソースを考慮せずに、当該ＰＤＳＣＨ／ＰＵＳＣＨで送信されるＤＬデータ及び／又はＵＬデータ（トランスポートブロック（ＴＢ：Transport  Block））のサイズ（ＴＢのサイズ（ＴＢＳ：Transport  Block  Size））を決定してもよい。
【００４２】
また、ユーザ端末は、当該ＴＢＳに基づいて、当該ＴＢを構成するコードブロック（ＣＢ：Code  Block）の数を決定してもよい。当該ＴＢは、一以上のＣＢに分割（segment）され、各ＣＢが符号化される。当該一以上のＣＢは、スロット内でＵｎｋｎｏｗｎリソースがまるでないかのように、ＤＬアサインメント／ＵＬグラントによりスケジューリングされる時間／周波数リソースにマッピングされてもよい。
【００４３】
ＤＬアサインメントによりスケジューリングされた時間／周波数リソースの少なくとも一部がＵｎｋｎｏｗｎリソースと重複する場合、ユーザ端末は、Ｕｎｋｎｏｗｎリソースと重複する時間／周波数リソース（例えば、図２Ａのシンボル＃６〜＃８）にマッピングされる一以上のＣＢを復号する必要はないが、Ｕｎｋｎｏｗｎリソースと重複しない時間／周波数リソース（例えば、図２Ａのシンボル＃１〜＃５、＃９〜＃１３）にマッピングされる一以上のＣＢを復号する必要がある。
【００４４】
パンクチャの場合、受信側（ＤＬではユーザ端末、ＵＬでは無線基地局）で、Ｕｎｋｎｏｗｎリソースを考慮して、ＤＬデータ及び／又はＵＬデータが復号される。このため、送信側（ＤＬでは無線基地局、ＵＬではユーザ端末）で、Ｕｎｋｎｏｗｎリソースを考慮せずに、ＤＬデータ及び／又はＵＬデータを上記スケジューリングされた時間／周波数リソースにマッピングできるので、送信側における処理負荷を軽減できる。
【００４５】
≪レートマッチングの場合≫
或いは、ユーザ端末は、ＰＤＳＣＨ／ＰＵＳＣＨがスケジューリングされる時間／周波数リソース内のＵｎｋｎｏｗｎリソースを考慮して、当該ＰＤＳＣＨ／ＰＵＳＣＨで送信されるＤＬデータ及び／又はＵＬデータ（ＴＢ）のサイズ（ＴＢＳ）を決定してもよい。
【００４６】
また、ユーザ端末は、当該ＴＢＳに基づいて、当該ＴＢを構成するＣＢの数を決定してもよい。当該ＴＢは、一以上のＣＢに分割され、各ＣＢが符号化される。当該一以上のＣＢは、Ｕｎｋｎｏｗｎリソースにマッピングされないように、ＰＤＳＣＨ／ＰＵＳＣＨにスケジューリングされた時間／周波数リソースにマッピングされてもよい（すなわち、当該スケジューリングされた時間／周波数リソース内のＵｎｋｎｏｗｎリソース以外にマッピングされてもよい）。
【００４７】
ＤＬアサインメントによりスケジューリングされる時間／周波数リソースの少なくとも一部がＵｎｋｎｏｗｎリソースと重複する場合、ユーザ端末は、当該時間／周波数リソース（例えば、図２Ａのシンボル＃１〜＃１３）内にＵｎｋｎｏｗｎリソースがまるでないかのように、一以上のＣＢを復号する。
【００４８】
レートマッチングの場合、送信側（ＤＬでは無線基地局、ＵＬではユーザ端末）で、Ｕｎｋｎｏｗｎリソースを考慮して、ＤＬデータ及び／又はＵＬデータが符号化及び／又はマッピングされる。このため、受信側（ＤＬではユーザ端末、ＵＬでは無線基地局）で、当該Ｕｎｋｎｏｗｎリソースを考慮せずに、ＤＬデータ及び／又はＵＬデータを復号できるので、受信側における処理負荷を軽減できる。
【００４９】
以上のように、Ｕｎｋｎｏｗｎリソースの優先制御では、上記パンククチャによるＵｎｋｎｏｗｎリソースを考慮した受信処理又は上記レートマッチングによるＵｎｋｎｏｗｎリソースを考慮した送信処理が行われる。このため、ユーザ端末がＳＦＩとＤＬアサインメント／ＵＬグラントとが同一のスロット内で検出する場合でも、無線基地局又はユーザ端末側の制御により、ＰＤＳＣＨの受信及び／又はＰＵＳＣＨの送信を適切に制御できる。
【００５０】
第１の態様によれば、Ｕｎｋｎｏｗｎリソースを示すＳＦＩ（当該ＳＦＩを含むＤＣＩ）と、ＤＬアサインメント／ＵＬグラントとが同一のスロット内で検出される場合でも、ユーザ端末は、ＰＤＳＣＨの受信及び／又はＰＵＳＣＨの送信を適切に制御できる。
【００５１】
（第２の態様）
第２の態様では、Ｕｎｋｎｏｗｎリソースを示すＳＦＩ（当該ＳＦＩを含むＤＣＩ）と、ＤＬアサインメント／ＵＬグラントとが、異なるスロット内で検出される場合について説明する。
【００５２】
第２の態様では、無線基地局は、Ｕｎｋｎｏｗｎリソースとして確保される時間／周波数リソースであるかに関係なく、ＰＤＳＣＨ／ＰＵＳＣＨをスケジューリングしてもよい。ＤＬアサインメント／ＵＬグラントがＳＦＩよりも前のスロットで検出される場合、ユーザ端末は、Ｕｎｋｎｏｗｎリソースと衝突する時間及び／又は周波数リソースにおいて、ＤＬアサインメントに基づくＰＤＳＣＨの受信及び／又はＵＬグラントに基づくＰＵＳＣＨの送信を行わない。
【００５３】
一方で、ＳＦＩよりも後のスロットにおいてＤＬアサインメント／ＵＬグラントが検出される場合、Ｕｎｋｎｏｗｎリソースと衝突する時間及び／又は周波数リソースにおいて、ユーザ端末は、ＰＤＳＣＨの受信及び／又はＰＵＳＣＨの送信をどのように制御するかが問題となる。この場合、最後に検出された指示情報が優先されてもよいし、又は、Ｕｎｋｎｏｗｎリソースが優先されてもよい。
【００５４】
＜最新の指示情報に基づく優先制御＞
ユーザ端末は、Ｕｎｋｎｏｗｎリソースを示すＳＦＩと、ＤＬアサインメント／ＵＬグラントとが異なるスロットで検出される場合、最後に検出された指示情報（例えば、ＤＬアサインメント／ＵＬグラント（又は、ＳＦＩ））を、前に検出された指示情報（例えば、ＳＦＩ（又は、ＤＬアサインメント／ＵＬグラント））よりも優先（override）してもよい。
【００５５】
図３及び４を参照し、Ｕｎｋｎｏｗｎリソースを示すＳＦＩと、ＤＬアサインメント／ＵＬグラントとが異なるスロットで検出される場合における最新の指示情報に基づく優先制御について詳細に説明する。なお、図３及び４は、図２との相違点を中心に説明する。図３及び４では、Ｕｎｋｎｏｗｎリソースを示すＳＦＩと、ＤＬアサインメント／ＵＬグラントとが、異なるスロットで検出される点で、図２と異なる。
【００５６】
≪ＤＬアサインメント／ＵＬグラントがＳＦＩよりも前のスロットで検出される場合≫
図３は、第２の態様に係る最新の指示情報に基づく優先制御の一例を示す図である。図３Ａ及び３Ｂでは、Ｕｎｋｎｏｗｎリソースを示すＳＦＩが、ＤＬアサインメント／ＵＬグラントよりも後のスロットで検出される。
【００５７】
例えば、図３Ａでは、単一のＤＬアサインメントにより一以上のスロットにおけるＰＤＳＣＨがスケジューリングされる。例えば、図３Ａでは、無線基地局は、スロット＃０において、スロット＃０のシンボル＃１〜＃１３、スロット＃１のシンボル＃１〜＃１３がＰＤＳＣＨに割り当てられること示すＤＬアサインメントを送信する。ユーザ端末は、スロット＃０のＣＯＲＥＳＥＴを監視して、当該ＤＬアサインメントを検出する。
【００５８】
また、図３Ａでは、ユーザ端末は、当該ＤＬアサインメントが検出されたスロット＃０よりも後のスロット＃１で、ＳＦＩを含むＤＣＩを検出する。例えば、図３Ａでは、スロット＃１において、スロット＃１のシンボル＃６〜＃８がＵｎｋｎｏｗｎリソースとして確保されることを示すＳＦＩを検出する。ユーザ端末は、スロット＃１で検出されたＳＦＩが示すＵｎｋｎｏｗｎリソースでは、スロット＃０で検出されたＤＬアサインメントに基づくＰＤＳＣＨの受信を行わない。
【００５９】
同様に、図３Ｂでは、単一のＵＬグラントにより一以上のスロットにおけるＰＵＳＣＨがスケジューリングされる。例えば、図３Ｂでは、無線基地局は、スロット＃０において、スロット＃０のシンボル＃２〜＃１３、スロット＃１のシンボル＃２〜＃１３がＰＵＳＣＨに割り当てられること示すＵＬグラントを送信する。ユーザ端末は、スロット＃０のＣＯＲＥＳＥＴを監視して、当該ＵＬグラントを検出する。
【００６０】
また、図３Ｂでは、ユーザ端末は、当該ＵＬグラントが検出されたスロット＃０よりも後のスロット＃１で、ＳＦＩを含むＤＣＩを検出する。例えば、図３Ｂでは、スロット＃１において、スロット＃１のシンボル＃６〜＃８がＵｎｋｎｏｗｎリソースとして確保されることを示すＳＦＩを検出する。ユーザ端末は、スロット＃１で検出されたＳＦＩが示すＵｎｋｎｏｗｎリソースでは、スロット＃０で検出されたＵＬグラントに基づくＰＵＳＣＨの送信を行わない。
【００６１】
なお、図３Ａ及び３Ｂでは、スロット＃０でＰＤＳＣＨ／ＰＵＳＣＨがスケジューリングされた後に、スロット＃１でＳＦＩによってＵｎｋｎｏｗｎリソースが指定される。このように、ＳＦＩによるＵｎｋｎｏｗｎリソースの指定（indication）が所定のタイミング（例えば、ＰＤＳＣＨ／ＰＵＳＣＨのスケジューリングタイミング）よりも後である場合、送信側（ＤＬでは無線基地局、ＵＬではユーザ端末）ではＵｎｋｎｏｗｎリソースを考慮できない。このため、上記パンクチャにより、受信側（ＤＬではユーザ端末、ＵＬでは無線基地局）で、Ｕｎｋｎｏｗｎリソースを考慮して、ＤＬデータ及び／又はＵＬデータが復号されてもよい。
【００６２】
また、図３Ａ及び３Ｂでは、ＰＤＳＣＨ／ＰＵＳＣＨに対する送達確認情報（ＨＡＲＱ−ＡＣＫ）のフィードバックタイミングは、当該ＰＤＳＣＨ／ＰＵＳＣＨにスケジューリングされる時間／周波数リソースがＵｎｋｎｏｗｎリソースを含むか否かに関係なく、決定されてもよい。
【００６３】
≪ＤＬアサインメント／ＵＬグラントがＳＦＩよりも後のスロットが検出される場合≫
図４は、第２の態様に係る最新の指示情報に基づく優先制御の他の例を示す図である。図４Ａ及び４Ｂでは、ＤＬアサインメント／ＵＬグラントが、Ｕｎｋｎｏｗｎリソースを示すＳＦＩよりも後のスロットで検出される。
【００６４】
例えば、図４Ａでは、ユーザ端末は、スロット＃０のＣＯＲＥＳＥＴを監視して、スロット＃０のＰＤＳＣＨをスケジューリングするＤＬアサインメントと、スロット＃１で確保されるＵｎｋｎｏｗｎリソースを示すＳＦＩを含むＤＣＩとを検出する。
【００６５】
また、図４Ａでは、ユーザ端末は、スロット＃０よりも後のスロット＃１のＣＯＲＥＳＥＴを監視して、スロット＃１のＰＤＳＣＨをスケジューリングするＤＬアサインメントを検出する。例えば、図４Ａでは、当該ＤＬアサインメントにより、前のスロット＃０で検出されたＳＦＩが示すＵｎｋｎｏｗｎリソースを含むシンボル＃１〜＃１３に、ＰＤＳＣＨがスケジューリングされる。
【００６６】
図４Ａでは、ユーザ端末は、後のスロット＃１で検出されたＤＬアサインメントを前のスロット＃０で検出されたＳＦＩよりも優先する。具体的には、ユーザ端末は、スロット＃１において、ＵｎｋｎｏｗｎリソースとしてＳＦＩが示すシンボル＃６〜＃８を含むシンボル＃１〜＃１３において、スロット＃１で検出されたＤＬアサイメントに基づくＰＤＳＣＨの受信を行う。
【００６７】
同様に、図４Ｂでは、ＵＬグラントにより当該ＵＬグラントが検出されるスロットにおけるＰＵＳＣＨがスケジューリングされる。図４Ｂでは、スロット＃０のＣＯＲＥＳＥＴを監視して、スロット＃０のＰＵＳＣＨをスケジューリングするＵＬグラントと、スロット＃１で確保されるＵｎｋｎｏｗｎリソースを示すＳＦＩを含むＤＣＩとを検出する。
【００６８】
また、図４Ｂでは、ユーザ端末は、スロット＃０よりも後のスロット＃１のＣＯＲＥＳＥＴを監視して、スロット＃１のＰＵＳＣＨをスケジューリングするＵＬグラントを検出する。例えば、図４Ｂでは、当該ＵＬグラントにより、前のスロット＃０で検出されたＳＦＩが示すＵｎｋｎｏｗｎリソースを含むシンボル＃１〜＃１３に、ＰＵＳＣＨがスケジューリングされる。
【００６９】
図４Ｂでは、ユーザ端末は、後のスロット＃１で検出されたＵＬグラントを前のスロット＃０で検出されたＳＦＩよりも優先する。具体的には、ユーザ端末は、スロット＃１において、ＵｎｋｎｏｗｎリソースとしてＳＦＩが示すシンボル＃６〜＃８を含むシンボル＃２〜＃１３において、スロット＃１で検出されたＵＬグラントに基づくＰＵＳＣＨの送信を行う。
【００７０】
以上のように、最新の指示情報に基づく優先制御では、ＳＦＩによってＵｎｋｎｏｗｎリソースを指定した後でも、当該Ｕｎｋｎｏｗｎリソースを含む時間／周波数リソースに対するスケジューリングを行うことにより、当該ＵｎｋｎｏｗｎリソースにおいてＰＤＳＣＨの受信及び／又はＰＵＳＣＨの送信が可能となる。このため、無線リソースの利用効率を向上させることができる。
【００７１】
＜Ｕｎｋｎｏｗｎリソースの優先制御＞
或いは、ユーザ端末は、ＤＬアサインメント／ＵＬグラントがＵｎｋｎｏｗｎリソースを示すＳＦＩより前又は後のいずれのスロットで検出されるかに関係なく、当該Ｕｎｋｎｏｗｎリソースを示すＳＦＩを、ＤＬアサインメント／ＵＬグラントよりも優先してもよい。
【００７２】
図５及び６を参照し、Ｕｎｋｎｏｗｎリソースを示すＳＦＩと、ＤＬアサインメント／ＵＬグラントとが異なるスロットで検出される場合におけるＵｎｋｎｏｗｎリソースの優先制御について詳細に説明する。なお、図５及び６は、それぞれ、図３及び４との相違点を中心に説明する。図５及び６では、ＤＬアサインメント／ＵＬグラントがＵｎｋｎｏｗｎリソースを示すＳＦＩより前又は後のいずれのスロットで検出されるかに関係なく、Ｕｎｋｎｏｗｎリソースが優先される点で、図３及び４と異なる。
【００７３】
≪ＤＬアサインメント／ＵＬグラントがＳＦＩよりも前のスロットで検出される場合≫
図５は、第２の態様に係るＵｎｋｎｏｗｎリソースの優先制御の一例を示す図である。図５Ａ及び５Ｂでは、Ｕｎｋｎｏｗｎリソースを示すＳＦＩが、ＤＬアサインメント／ＵＬグラントよりも後のスロットで検出される。図５Ａ及び５Ｂにおける無線基地局及びユーザ端末の詳細な動作は、それぞれ、図３Ａ及び図３Ｂと同様である。
【００７４】
≪ＤＬアサインメント／ＵＬグラントがＳＦＩよりも前のスロットで検出される場合≫
図６は、第２の態様に係るＵｎｋｎｏｗｎリソースの優先制御の他の例を示す図である。図６Ａ及び６Ｂでは、Ｕｎｋｎｏｗｎリソースを含む時間／周波数リソースをＰＤＳＣＨ／ＰＵＳＣＨにスケジューリングするＤＬアサインメント／ＵＬグラントが、Ｕｎｋｎｏｗｎリソースを示すＳＦＩよりも後のスロットで検出される。
【００７５】
図４Ａと同様に、図６Ａでは、ユーザ端末は、スロット＃０のＣＯＲＥＳＥＴを監視して、スロット＃０のＰＤＳＣＨをスケジューリングするＤＬアサインメントと、スロット＃１で確保されるＵｎｋｎｏｗｎリソースを示すＳＦＩを含むＤＣＩとを検出する。また、ユーザ端末は、スロット＃１のＣＯＲＥＳＥＴを監視して、スロット＃１のＰＤＳＣＨをスケジューリングするＤＬアサインメントを検出する。
【００７６】
図６Ａでは、後のスロット＃１で検出されたＤＬアサインメントにより、前のスロット＃０で検出されたＳＦＩが示すＵｎｋｎｏｗｎリソースを含むシンボル＃１〜＃１３がＰＤＳＣＨにスケジューリングされる。この場合、図４Ａと異なり、ユーザ端末は、当該Ｕｎｋｎｏｗｎリソースでは、後のスロット＃１で検出されたＤＬアサインメントに基づくＰＤＳＣＨの受信を行わない。
【００７７】
図４Ｂと同様に、図６Ｂでは、ユーザ端末は、スロット＃０のＣＯＲＥＳＥＴを監視して、スロット＃０のＰＵＳＣＨをスケジューリングするＵＬグラントと、スロット＃１で確保されるＵｎｋｎｏｗｎリソースを示すＳＦＩを含むＤＣＩとを検出する。また、ユーザ端末は、スロット＃１のＣＯＲＥＳＥＴを監視して、スロット＃１のＰＵＳＣＨをスケジューリングするＵＬグラントを検出する。
【００７８】
図６Ｂでは、後のスロット＃１で検出されたＵＬグラントにより、前のスロット＃０で検出されたＳＦＩが示すＵｎｋｎｏｗｎリソースを含むシンボル＃２〜＃１３がＰＵＳＣＨにスケジューリングされる。この場合、図４Ｂとは異なり、ユーザ端末は、当該Ｕｎｋｎｏｗｎリソースでは、後のスロット＃１で検出されたＵＬグラントに基づくＰＵＳＣＨの送信を行わない。
【００７９】
なお、図６Ａ及び６Ｂでは、スロット＃０でＰＤＳＣＨ／ＰＵＳＣＨがスケジューリングされる前に、スロット＃１でＳＦＩによってＵｎｋｎｏｗｎリソースが指定される。このように、ＳＦＩによるＵｎｋｎｏｗｎリソースの指定が所定のタイミング（例えば、ＰＤＳＣＨ／ＰＵＳＣＨのスケジューリングタイミング）よりも前である場合、送信側（ＤＬでは無線基地局、ＵＬではユーザ端末）でＵｎｋｎｏｗｎリソースを考慮できる。このため、上記レートマッチングにより、送信側（ＤＬでは無線基地局、ＵＬではユーザ端末）で、Ｕｎｋｎｏｗｎリソースを考慮して、ＤＬデータ及び／又はＵＬデータが符号化及び／又はマッピングされてもよい。
【００８０】
また、図６Ａ及び６Ｂでは、ＰＤＳＣＨ／ＰＵＳＣＨに対する送達確認情報（ＨＡＲＱ−ＡＣＫ）のフィードバックタイミングは、当該ＰＤＳＣＨ／ＰＵＳＣＨにスケジューリングされる時間／周波数リソースがＵｎｋｎｏｗｎリソースを含むか否かに関係なく、決定されてもよい。
【００８１】
以上のように、Ｕｎｋｎｏｗｎリソースの優先制御では、ＳＦＩによってＵｎｋｎｏｗｎリソースを指定した後に、当該Ｕｎｋｎｏｗｎリソースを含む時間／周波数リソースに対するスケジューリングが行われても、ユーザ端末は、当該ＵｎｋｎｏｗｎリソースにおいてＰＤＳＣＨの受信及び／又はＰＵＳＣＨの送信を行わない。このため、Ｕｎｋｎｏｗｎリソースをより確実に確保できる。
【００８２】
第２の態様によれば、Ｕｎｋｎｏｗｎリソースを示すＳＦＩ（当該ＳＦＩを含むＤＣＩ）と、ＤＬアサインメント／ＵＬグラントとが、異なるスロット内で検出される場合でも、ユーザ端末は、ＰＤＳＣＨの受信及び／又はＰＵＳＣＨの送信を適切に制御できる。
【００８３】
（その他の態様）
第２の態様に係る優先制御は、上位レイヤシグナリング（例えば、ＲＲＣシグナリング）により制御されてもよい。
【００８４】
例えば、上位レイヤシグナリングにより優先動作（overriding  operation）が有効化（enable）される場合、上記最新の指示情報に基づく優先制御が適用されてもよい。一方、上位レイヤシグナリングにより優先動作が無効化（disable）される場合、上記最新の指示情報に基づく優先制御が適用されず、上記Ｕｎｋｎｏｗｎリソースの優先制御が適用されてもよい。
【００８５】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【００８６】
図７は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT）などと呼ばれても良い。
【００８７】
図７に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間で異なるニューメロロジーが適用される構成としてもよい。なお、ニューメロロジーとは、サブキャリア間隔、シンボル長、サイクリックプリフィクス（ＣＰ）長、１伝送時間間隔（ＴＴＩ）あたりのシンボル数、ＴＴＩの時間長の少なくとも一つであってもよい。また、スロットは、ユーザ端末が適用するニューメロロジーに基づく時間単位であってもよい。スロットあたりのシンボル数は、サブキャリア間隔に応じて定められてもよい。
【００８８】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【００８９】
また、ユーザ端末２０は、各セル（キャリア）で、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成第２のタイプ）、ＦＤＤキャリア（フレーム構成第１のタイプ）等と呼ばれてもよい。
【００９０】
また、各セル（キャリア）では、相対的に長い時間長（例えば、１ｍｓ）を有するスロット（ＴＴＩ、通常ＴＴＩ、ロングＴＴＩ、通常サブフレーム、ロングサブフレーム又はサブフレーム等ともいう）、及び／又は、相対的に短い時間長を有するスロット（ミニスロット、ショートＴＴＩ又はショートサブフレーム等ともいう）が適用されてもよい。また、各セルで、２以上の時間長のスロットが適用されてもよい。
【００９１】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。また、ユーザ端末２０は、一以上のＢＷＰが設定されてもよい。ＢＷＰは、キャリアの少なくとも一部で構成される。
【００９２】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【００９３】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００９４】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９５】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【００９６】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。また、端末間通信に用いられるサイドリンク（ＳＬ）にＳＣ−ＦＤＭＡを適用できる。
【００９７】
無線通信システム１では、ＤＬチャネルとして、各ユーザ端末２０で共有されるＤＬデータチャネル（ＰＤＳＣＨ：Physical  Downlink  Shared  Channel、ＤＬ共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ＤＬデータ（ユーザデータ、上位レイヤ制御情報、ＳＩＢ（System  Information  Block）などの少なくとも一つ）が伝送される。また、ＰＢＣＨにより、ＭＩＢ（Master  Information  Block）が伝送される。
【００９８】
Ｌ１／Ｌ２制御チャネルは、ＤＬ制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨにより、ＰＵＳＣＨの送達確認情報（Ａ／Ｎ、ＨＡＲＱ−ＡＣＫ、ＨＡＲＱ−ＡＣＫビット又はＡ／Ｎコードブック等ともいう）を伝送できる。
【００９９】
無線通信システム１では、ＵＬチャネルとして、各ユーザ端末２０で共有されるＵＬデータチャネル（ＰＵＳＣＨ：Physical  Uplink  Shared  Channel、ＵＬ共有チャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ＵＬデータ（ユーザデータ及び／又は上位レイヤ制御情報）が伝送される。ＰＤＳＣＨの送達確認情報（Ａ／Ｎ、ＨＡＲＱ−ＡＣＫ）チャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１００】
＜無線基地局＞
図８は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。無線基地局１０は、ＵＬにおいて「受信装置」を構成し、ＤＬにおいて「送信装置」を構成してもよい。
【０１０１】
下りリンクにより無線基地局１０からユーザ端末２０に送信されるユーザデータは、上位局装置３０から伝送路インターフェース１０６を介してベースバンド信号処理部１０４に入力される。
【０１０２】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の処理）、スケジューリング、伝送フォーマット選択、チャネル符号化、レートマッチング、スクランブリング、逆高速フーリエ変換（ＩＦＦＴ：Inverse  Fast  Fourier  Transform）処理及びプリコーディング処理の少なくとも一つなどの送信処理が行われて送受信部１０３に転送される。また、下り制御信号に関しても、チャネル符号化及び／又は逆高速フーリエ変換などの送信処理が行われて、送受信部１０３に転送される。
【０１０３】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１０４】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１０５】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１０６】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定、解放などの呼処理、無線基地局１０の状態管理、無線リソースの管理の少なくとも一つを行う。
【０１０７】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１０８】
また、送受信部１０３は、ＤＬ信号（例えば、ＤＬ制御信号（ＤＬ制御チャネル又はＤＣＩ等ともいう）、ＤＬデータ信号（ＤＬデータチャネル又はＤＬデータ等ともいう）、及び、参照信号の少なくとも一つ）を送信する。また、送受信部１０３は、ＵＬ信号（例えば、ＵＬ制御信号（ＵＬ制御チャネル又はＵＣＩ等ともいう）、ＵＬデータ信号（ＵＬデータチャネル又はＵＬデータ等ともいう）、及び、参照信号の少なくとも一つ）を受信する。
【０１０９】
また、送受信部１０３は、スロット関連情報（ＳＦＩ）を送信する。当該ＳＦＩは、一以上のユーザ端末２０に共通のＤＣＩに含まれてもよいし、他の制御情報に含まれてもよい。また、送受信部１０３は、ユーザ端末２０に対するデータチャネル（ＤＬデータチャネル及び／又はＵＬデータチャネル）のスケジューリング情報を含むＤＣＩ（ＤＬアサインメント及び／又はＵＬグラント）を送信してもよい。また、送受信部１０３は、上位レイヤ制御情報を送信してもよい。
【０１１０】
図９は、本実施の形態に係る無線基地局の機能構成の一例を示す図である。なお、図９は、本実施の形態における特徴部分の機能ブロックを主に示しており、無線基地局１０は、無線通信に必要な他の機能ブロックも有しているものとする。図９に示すように、ベースバンド信号処理部１０４は、制御部３０１と、送信信号生成部３０２と、マッピング部３０３と、受信信号処理部３０４と、測定部３０５とを備えている。
【０１１１】
制御部３０１は、無線基地局１０全体の制御を実施する。制御部３０１は、例えば、送信信号生成部３０２によるＤＬ信号の生成、マッピング部３０３によるＤＬ信号のマッピング、受信信号処理部３０４によるＵＬ信号の受信処理（例えば、復調など）及び測定部３０５による測定の少なくとも一つを制御する。
【０１１２】
制御部３０１は、データチャネル（ＤＬデータチャネル及び／又はＵＬデータチャネル）のスケジューリング単位となる時間リソース（例えば、一以上のスロット、一以上のミニスロット、一以上のシンボルの少なくとも一つ）におけるシンボル毎の伝送方向を制御してもよい。具体的には、制御部３０１は、スロット内のＤＬシンボル及び／又はＵＬシンボルを示すＳＦＩの生成及び／又は送信を制御してもよい。
【０１１３】
また、制御部３０１は、ユーザ端末２０において受信及び／又は送信が想定されない時間及び／又は周波数リソース（Ｕｎｋｎｏｗｎリソース）の確保（設定）を制御する。具体的には、制御部３０１は、Ｕｎｋｎｏｗｎリソースとして確保される所定シンボル及び所定周波数リソースを示すＳＦＩの生成及び／又は送信を制御してもよい。
【０１１４】
また、制御部３０１は、Ｕｎｋｎｏｗｎリソースに基づいて、データチャネル（ＤＬデータチャネル及び／又はＵＬデータチャネル）のスケジューリングを行ってもよい（第１の態様、図１）。具体的には、制御部３０１は、Ｕｎｋｎｏｗｎリソースと重複しない時間／周波数リソースにデータチャネルをスケジューリングしてもよい。
【０１１５】
或いは、制御部３０１は、Ｕｎｋｎｏｗｎリソースに関係なく、データチャネル（ＤＬデータチャネル及び／又はＵＬデータチャネル）のスケジューリングを行ってもよい（第１及び第２の態様、図２、図３〜６）。
【０１１６】
また、制御部３０１は、データチャネル（ＤＬデータチャネル及び／又はＵＬデータチャネル）の送信及び／又は受信を制御してもよい。具体的には、制御部３０１は、Ｕｎｋｎｏｗｎリソースを考慮せずに、ＤＬデータ及び／又はＵＬデータ（トランスポートブロック（ＴＢ））のサイズ（ＴＢのサイズ（ＴＢＳ：Transport  Block  Size））を決定してもよい（パンクチャの場合）。
【０１１７】
パンクチャの場合、制御部３０１は、Ｕｎｋｎｏｗｎリソースを考慮せずに、ＤＬデータの送信処理（例えば、符号化、変調、マッピングの少なくとも一つ）を制御してもよい。また、制御部３０１は、Ｕｎｋｎｏｗｎリソースを考慮して、ＵＬデータの受信処理（例えば、受信、復調、復号の少なくとも一つ）を制御してもよい。
【０１１８】
或いは、制御部３０１は、Ｕｎｋｎｏｗｎリソースを考慮して、ＤＬデータ及び／又はＵＬデータ（ＴＢ）のサイズ（ＴＢＳ）を決定してもよい（レートマッチングの場合）。レートマッチングの場合、制御部３０１は、Ｕｎｋｎｏｗｎリソースを考慮して、ＤＬデータの送信処理（例えば、符号化、変調、マッピングの少なくとも一つ）を制御してもよい。また、制御部３０１は、Ｕｎｋｎｏｗｎリソースを考慮せずに、ＵＬデータの受信処理（例えば、受信、復調、復号の少なくとも一つ）を制御してもよい。
【０１１９】
制御部３０１は、本発明に係る技術分野での共通認識に基づいて説明されるコントローラ、制御回路又は制御装置から構成することができる。
【０１２０】
送信信号生成部３０２は、制御部３０１からの指示に基づいて、ＤＬ信号（ＤＬデータ（チャネル）、ＤＣＩ、ＤＬ参照信号、上位レイヤシグナリングによる制御情報の少なくとも一つを含む）を生成して、マッピング部３０３に出力してもよい。
【０１２１】
送信信号生成部３０２は、本発明に係る技術分野での共通認識に基づいて説明される信号生成器、信号生成回路又は信号生成装置とすることができる。
【０１２２】
マッピング部３０３は、制御部３０１からの指示に基づいて、送信信号生成部３０２で生成されたＤＬ信号を、所定の無線リソースにマッピングして、送受信部１０３に出力する。例えば、マッピング部３０３は、制御部３０１によって決定される配置パターンを用いて、参照信号を所定の無線リソースにマッピングする。
【０１２３】
マッピング部３０３は、本発明に係る技術分野での共通認識に基づいて説明されるマッパー、マッピング回路又はマッピング装置とすることができる。
【０１２４】
受信信号処理部３０４は、ユーザ端末２０から送信されるＵＬ信号の受信処理（例えば、デマッピング、復調及び復号の少なくとも一つなど）を行う。具体的には、受信信号処理部３０４は、受信信号及び／又は受信処理後の信号を、測定部３０５に出力してもよい。
【０１２５】
受信信号処理部３０４は、本発明に係る技術分野での共通認識に基づいて説明される信号処理器、信号処理回路又は信号処理装置から構成することができる。また、受信信号処理部３０４は、本発明に係る受信部を構成することができる。
【０１２６】
測定部３０５は、例えば、参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１２７】
＜ユーザ端末＞
図１０は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。ユーザ端末２０は、ＵＬにおいて「送信装置」を構成し、ＤＬにおいて「受信装置」を構成してもよい。
【０１２８】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１２９】
ベースバンド信号処理部２０４は、入力されたベースバンド信号に対して、ＦＦＴ処理、誤り訂正復号、再送制御の受信処理などの少なくとも一つを行う。ＤＬデータは、アプリケーション部２０５に転送される。アプリケーション部２０５は、物理レイヤ及びＭＡＣレイヤより上位のレイヤに関する処理などを行う。
【０１３０】
一方、ＵＬデータについては、アプリケーション部２０５からベースバンド信号処理部２０４に入力される。ベースバンド信号処理部２０４では、再送制御処理（例えば、ＨＡＲＱの処理）、チャネル符号化、レートマッチング、パンクチャ、離散フーリエ変換（ＤＦＴ：Discrete  Fourier  Transform）処理、ＩＦＦＴ処理などの少なくとも一つが行われて各送受信部２０３に転送される。ＵＣＩ（例えば、ＤＬ信号のＡ／Ｎ、チャネル状態情報（ＣＳＩ）、スケジューリング要求（ＳＲ）の少なくとも一つなど）についても、チャネル符号化、レートマッチング、パンクチャ、ＤＦＴ処理及びＩＦＦＴ処理などの少なくとも一つが行われて各送受信部２０３に転送される。
【０１３１】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１３２】
また、送受信部２０３は、ＤＬ信号（例えば、ＤＬ制御信号（ＤＬ制御チャネル又はＤＣＩ等ともいう）、ＤＬデータ信号（ＤＬデータチャネル又はＤＬデータ等ともいう）、及び、参照信号の少なくとも一つ）を受信する。また、送受信部２０３は、ＵＬ信号（例えば、ＵＬ制御信号（ＵＬ制御チャネル又はＵＣＩ等ともいう）、ＵＬデータ信号（ＵＬデータチャネル又はＵＬデータ等ともいう）、及び、参照信号の少なくとも一つ）を送信する。
【０１３３】
また、送受信部２０３は、スロット関連情報（ＳＦＩ）を受信する。当該ＳＦＩは、一以上のユーザ端末２０に共通のＤＣＩに含まれてもよいし、又は、他の制御情報に含まれてもよい。また、送受信部２０３は、ユーザ端末２０に対するデータチャネル（ＤＬデータチャネル及び／又はＵＬデータチャネル）のスケジューリング情報を含むＤＣＩ（ＤＬアサインメント及び／又はＵＬグラント）を受信してもよい。また、送受信部２０３は、上位レイヤ制御情報を受信してもよい。
【０１３４】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１３５】
図１１は、本実施の形態に係るユーザ端末の機能構成の一例を示す図である。なお、図１１においては、本実施の形態における特徴部分の機能ブロックを主に示しており、ユーザ端末２０は、無線通信に必要な他の機能ブロックも有しているものとする。図１１に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１３６】
制御部４０１は、ユーザ端末２０全体の制御を実施する。制御部４０１は、例えば、送信信号生成部４０２によるＵＬ信号の生成、マッピング部４０３によるＵＬ信号のマッピング、受信信号処理部４０４によるＤＬ信号の受信処理及び測定部４０５による測定の少なくとも一つを制御する。
【０１３７】
具体的には、制御部４０１は、ＤＬ制御チャネルをモニタリング（ブラインド復号）、及び、ユーザ端末２０に対するＤＣＩ（グループ共通ＤＣＩ及び／又はＵＥ固有ＤＣＩを含む）の検出を制御してもよい。例えば、制御部４０１は、ユーザ端末２０に設定される一以上のＣＯＲＥＳＥＴ（又はＣＯＲＥＳＥＴ内のサーチスペース）をモニタリングしてもよい。
【０１３８】
また、制御部４０１は、データチャネル（ＤＬデータチャネル及び／又はＵＬデータチャネル）のスケジューリング単位となる時間リソース（（例えば、一以上のスロット、一以上のミニスロット、一以上のシンボルの少なくとも一つ）におけるシンボル毎の伝送方向を制御してもよい。具体的には、制御部４０１は、ＳＦＩに基づいて、当該時間リソースにおけるＤＬシンボル及び／又はＵＬシンボルを決定してもよい。
【０１３９】
また、制御部４０１は、当該ＳＦＩに基づいてＵｎｋｎｏｗｎリソースとして決定される時間／周波数リソースにおける受信及び／又は送信を想定しなくともよい。
【０１４０】
また、制御部４０１は、当該ＤＣＩに基づいてデータチャネル（ＤＬデータチャネル及び／又はＵＬデータチャネル）の受信及び／又は送信を制御してもよい。具体的には、制御部４０１は、ＤＣＩ（ＤＬアサインメント及び／又はＵＬグラント）によってデータチャネルがスケジューリングされた時間及び／周波数リソースの少なくとも一部が、ＳＦＩによって示されるＵｎｋｎｏｗｎリソースと衝突する場合、当該時間及び／又は周波数リソースにおけるデータチャネルの受信及び／又は送信を制御してもよい。
【０１４１】
例えば、制御部４０１は、ＳＦＩ及び上記ＤＣＩが同一のスロット内で検出される場合、及び／又は、前記ＤＣＩが前記ＳＦＩよりも前のスロットで検出される場合、Ｕｎｋｎｏｗｎリソースと衝突する時間及び／又は周波数リソースにおいて、上記ＤＣＩに基づくデータチャネルの受信及び／又は受信を行わないように、送受信部２０３を制御してもよい（第１の態様、図２、第２の態様、図３、図５）。
【０１４２】
また、制御部４０１は、上記ＤＣＩが上記ＳＦＩよりも後のスロットで検出される場合、Ｕｎｋｎｏｗｎリソースと衝突する時間及び／又は周波数リソースにおいて、上記ＤＣＩに基づく上記データチャネルの受信及び／又は送信を行うように、送受信部２０３を制御してもよい（第２の態様、図４）。
【０１４３】
また、制御部４０１は、上記ＤＣＩが上記ＳＦＩよりも後のスロットで検出される場合、Ｕｎｋｎｏｗｎリソースと衝突する時間及び／又は周波数リソースにおいて、上記ＤＣＩに基づく上記データチャネルの受信及び／又は送信を行わないように、送受信部２０３を制御してもよい（第２の態様、図６）。
【０１４４】
また、制御部４０１は、ＤＣＩによりスケジューリングされた時間及び／周波数リソースのうちＵｎｋｎｏｗｎリソースと衝突しない時間及び／又は周波数リソースにおいて、当該ＤＣＩに基づくデータチャネルの受信及び／又は送信を行うように、送受信部２０３を制御してもよい（第１及び第２の態様、図１〜６）。
【０１４５】
また、制御部４０１は、Ｕｎｋｎｏｗｎリソースを考慮せずに、ＤＬデータ及び／又はＵＬデータ（トランスポートブロック（ＴＢ））のサイズ（ＴＢのサイズ（ＴＢＳ）を決定してもよい（パンクチャの場合）。
【０１４６】
パンクチャの場合、制御部４０１は、Ｕｎｋｎｏｗｎリソースを考慮せずに、ＵＬデータの送信処理（例えば、符号化、変調、マッピングの少なくとも一つ）を制御してもよい。また、制御部４０１は、Ｕｎｋｎｏｗｎリソースを考慮して、ＤＬデータの受信処理（例えば、受信、復調、復号の少なくとも一つ）を制御してもよい。
【０１４７】
或いは、制御部４０１は、Ｕｎｋｎｏｗｎリソースを考慮して、ＤＬデータ及び／又はＵＬデータ（ＴＢ）のサイズ（ＴＢＳ）を決定してもよい（レートマッチングの場合）。レートマッチングの場合、制御部４０１は、Ｕｎｋｎｏｗｎリソースを考慮して、ＵＬデータの送信処理（例えば、符号化、変調、マッピングの少なくとも一つ）を制御してもよい。また、制御部４０１は、Ｕｎｋｎｏｗｎリソースを考慮せずに、ＤＬデータの受信処理（例えば、受信、復調、復号の少なくとも一つ）を制御してもよい。
【０１４８】
制御部４０１は、本発明に係る技術分野での共通認識に基づいて説明されるコントローラ、制御回路又は制御装置から構成することができる。
【０１４９】
送信信号生成部４０２は、制御部４０１からの指示に基づいて、ＵＬ信号、ＤＬ信号の再送制御情報を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０１５０】
マッピング部４０３は、制御部４０１からの指示に基づいて、送信信号生成部４０２で生成されたＵＬ信号、ＤＬ信号の再送制御情報を無線リソースにマッピングして、送受信部２０３へ出力する。例えば、マッピング部４０３は、制御部４０１によって決定される配置パターンを用いて、参照信号を所定の無線リソースにマッピングする。
【０１５１】
マッピング部４０３は、本発明に係る技術分野での共通認識に基づいて説明されるマッパー、マッピング回路又はマッピング装置とすることができる。
【０１５２】
受信信号処理部４０４は、ＤＬ信号の受信処理（例えば、デマッピング、復調及び復号の少なくとも一つなど）を行う。例えば、受信信号処理部４０４は、制御部４０１によって決定される配置パターンの参照信号を用いて、ＤＬデータチャネルを復調してもよい。
【０１５３】
また、受信信号処理部４０４は、受信信号及び／又は受信処理後の信号を、制御部４０１及び／又は測定部４０５に出力してもよい。受信信号処理部４０４は、例えば、上位レイヤシグナリングによる上位レイヤ制御情報、Ｌ１／Ｌ２制御情報（例えば、ＵＬグラント及び／又はＤＬアサインメント）などを、制御部４０１に出力する。
【０１５４】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１５５】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０１５６】
測定部４０５は、本発明に係る技術分野での共通認識に基づいて説明される信号処理器、信号処理回路又は信号処理装置、並びに、測定器、測定回路又は測定装置から構成することができる。
【０１５７】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０１５８】
例えば、本実施の形態における無線基地局、ユーザ端末などは、本発明の無線通信方法の処理を行うコンピュータとして機能してもよい。図１２は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１５９】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６０】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０１６１】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信、メモリ１００２及びストレージ１００３におけるデータの読み出し及び書き込みの少なくとも一つを制御することで実現される。
【０１６２】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０１６３】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０１６４】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０１６５】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０１６６】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０１６７】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１６８】
また、図１２に示す各装置は、情報を通信するためのバス１００７で接続される。バス１００７は、単一のバスで構成されてもよいし、装置間で異なるバスで構成されてもよい。
【０１６９】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０１７０】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７１】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。サブフレームは、ニューメロロジーに依存しない固定の時間長（例えば、１ｍｓ）であってもよい。
【０１７２】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。また、スロットは、ニューメロロジーに基づく時間単位であってもよい。また、スロットは、複数のミニスロットを含んでもよい。各ミニスロットは、時間領域において一つ又は複数のシンボルで構成されてもよい。
【０１７３】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０１７４】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅及び／又は送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリング及び／又はリンクアダプテーションなどの処理単位となってもよい。なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１７５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、又はショートサブフレームなどと呼ばれてもよい。
【０１７６】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０１７７】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０１７８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボルの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１７９】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０１８０】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０１８１】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１８２】
また、情報、信号などは、上位レイヤから下位レイヤ、及び／又は下位レイヤから上位レイヤへ出力され得る。情報、信号などは、複数のネットワークノードを介して入出力されてもよい。
【０１８３】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０１８４】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１８５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０１８６】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０１８７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１８８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１８９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１９０】
本明細書で使用する「システム」及び「ネットワーク」という用語は、互換的に使用される。
【０１９１】
本明細書では、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１９２】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１９３】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１９４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１９５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び／又は「下り」は、「サイド」と読み替えられてもよい。例えば、上りチャネルは、サイドチャネルと読み替えられてもよい。
【０１９６】
同様に、本明細書におけるユーザ端末は、無線基地局で読み替えてもよい。この場合、上述のユーザ端末２０が有する機能を無線基地局１０が有する構成としてもよい。
【０１９７】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１９８】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１９９】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２００】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２０１】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２０２】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２０３】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２０４】
本明細書又は請求の範囲で「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２０５】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【図１】
2019030870.tif 000003
【図２】
2019030870.tif 000004
【図３】
2019030870.tif 000005
【図４】
2019030870.tif 000006
【図５】
2019030870.tif 000007
【図６】
2019030870.tif 000008
【図７】
2019030870.tif 000009
【図８】
2019030870.tif 000010
【図９】
2019030870.tif 000011
【図１０】
2019030870.tif 000012
【図１１】
2019030870.tif 000013
【図１２】
2019030870.tif 000014
【国際調査報告】
2019030870.tif 000015
2019030870.tif 000016
2019030870.tif 000017